(57)【特許請求の範囲】
【請求項１】
平面（２０２）を有する基板（２００）と、
前記基板（２００）の前記平面（２０２）上に印刷された複数の導電性配線（２０４）と、
前記複数の導電性配線（２０４）が、前記複数の導電性配線（２０４）の中の選択された導電性配線と複数の光源（２０６、２０８）の中の関連する光源との間に電気的な相互接続を形成するように、装着位置（２１０、２１２）で前記基板（２００）の前記平面（２０２）上の前記複数の導電性配線（２０４）上に装着された複数の光源（２０６、２０８）と、
前記複数の光源（２０６、２０８）上に提供されるポリマーシート（２２０）と、
前記印刷された複数の導電性配線（１０４）を有する前記基板（２００）、前記平面（２０２）上に装着された前記複数の光源（２０６、２０８）、及び前記ポリマーシート（２２０）のスタックアップ（２２４）が適用される複合材ベース（２２２）と
を備える照明パネル（２３４）であって、前記複数の光源（２０６、２０８）は前記複合材ベース（２２２）に埋め込まれ、前記スタックアップ（２２４）の上面と同一平面上に収まり、前記基板（２００）はまた、前記装着位置（２１０、２１２）で前記複数の光源の下の前記複合材ベース（２２２）に埋め込まれている照明パネル（２３４）。
【請求項２】
前記基板（２００）はポリマーフィルムを含む、請求項１に記載の照明パネル（２３４）。
【請求項３】
前記複数の導電性配線（２０４）は回路群を含み、前記複数の光源（２０６、２０８）は前記回路群を形成するように前記複数の導電性配線（２０４）の上に装着される、請求項１又は２に記載の照明パネル（２３４）。
【請求項４】
前記複数の光源（２０６、２０８）は前記ポリマーシート（２２０）に接触し、前記ポリマーシート（２２０）を通して光を照らす、請求項１から３のいずれか一項に記載の照明パネル（２３４）。
【請求項５】
前記ポリマーシート（２２０）の上に適用される装飾フィルム（２３２）を更に含む、請求項１から４のいずれか一項に記載の照明パネル（２３４）。
【請求項６】
前記照明パネル（２３４）は航空機構造用天井パネルを含む、請求項１から５のいずれか一項に記載の照明パネル（２３４）。
【請求項７】
照明パネル（２３４）を製造する方法であって、
基板（２００）の平面（２０２）上に複数の導電性配線（２０４）を印刷すること（３０２）と、
前記複数の導電性配線（２０４）が、前記複数の導電性配線（２０４）の中の選択された導電性配線と複数の光源（２０６、２０８）の中の関連する光源との間に電気的な相互接続を形成するように、装着位置で前記基板（２００）の前記平面（２０２）上の前記複数の導電性配線（２０４）上に前記複数の光源（２０６、２０８）を装着すること（３０４）と、
前記複数の光源（２０６、２０８）上にポリマーシート（２２０）を提供すること（３０６）と、
前記印刷された複数の導電性配線（２０４）を有する前記基板（２００）、前記平面（２０２）上に装着された前記複数の光源（２０６、２０８）、及び前記ポリマーシート（２２０）のスタックアップ（２２４）を複合材ベース（２２２）上に提供すること（３０８）と、
前記スタックアップ（２２４）の上面と同一平面上に収まるように前記複合材ベース（２２２）の中へ前記複数の光源（２０６、２０８）を埋め込み、前記装着位置で前記複数の光源（２０６、２０８）の下の前記複合材ベース（２２２）に前記基板（２００）を埋め込むため、前記スタックアップ（２２４）と前記複合材ベース（２２２）に圧力と熱を加えること（３１０）と
を含む方法。
【請求項８】
装着位置で前記基板（２００）の前記平面（２０２）上の前記複数の導電性配線（２０４）上に前記複数の光源（２０６、２０８）を装着すること（３０４）は、前記複数の光源（２０６、２０８）を装着するため導電性エポキシを使用することを含む、請求項７に記載の方法。
【請求項９】
前記複数の導電性配線（２０４）は回路群を含み、前記複数の光源（２０６、２０８）は前記回路群を形成するように前記複数の導電性配線（２０４）の上に装着される、請求項７又は８に記載の方法。
【請求項１０】
前記複数の光源（２０６、２０８）の上に前記ポリマーシート（２２０）を提供することは、前記複数の光源（２０６、２０８）を覆うことを含む、請求項７から９のいずれか一項に記載の方法。
【発明の詳細な説明】
【技術分野】
【０００１】
本開示は旅客機の内装照明パネルに関し、より具体的には、航空機の天井、収納棚、ヴァレンス（ｖａｌｅｎｃｅｓ）、側壁、或いは星の瞬く夜の効果を演出するように適合され装着されたその他の照明パネルに関する。
【背景技術】
【０００２】
夜間に長距離を航行する旅客機は一般的に、乗客が快適に眠ることができるように、周囲の明るさを大幅に低減することができる内装照明配置を含むが、眠らないことを選択した乗客が客室内を安全に歩きまわれるよう充分に明るい。例えば、灰色又は暗青色の背景にランダムに瞬くように配置された発光ダイオード（ＬＥＤ）を組み込んだ天井パネルを備える旅客ジェット機の一部のモデルは、周囲の光を抑えた状況の中で、リラックスさせて眠気を誘う星空のような景観を提供する。そのため、これは「星空（Ｓｔａｒｒｙ  Ｓｋｙ）」天井照明配置と呼ばれている。
【０００３】
従来の星空照明パネルは、裏側に配置された不連続な配線や電気部品を含むことがある。パネルは、レンズ、レンズホルダ、配線で接続されたＬＥＤ、個々の絶縁体上に展開された配線の束、及び所望の効果を生み出すパネルを作るために、比較的複雑な製造工程の中で一体化される個別の電力調整及び制御部品を使用することがある。典型的な実装では、航空機は、各々が多数のＬＥＤを含む多数のパネルを含みうる。典型的な星空天井パネル機構は、パネルに手作業で実装されるＬＥＤを必要とする。
【０００４】
これらの解決策の短所と限界は、パネル製造の方法が割高な比較的重労働であって、手作業で実装される配線が大量なため、労働集約的で、人間工学的に費用のかかる手作業の工程を必要とし、天井パネルの背後には比較的大きな空間を要するため、既存の航空機を改造することが難しい点にある。このシステムのための配線は大量でかさむため、一般的には天井に実装するだけに限られる。
【０００５】
前述のことを考慮すると、航空機天井照明パネルの業界には、レンズ、レンズホルダ、配線で接続されたＬＥＤ、及び関連する複雑なポイントツーポイント配線を使用しない「固体素子」的な方法によって星空を実現し、パネル重量、手作業による製造及び組み立ての労力と費用を低減し、繰り返される怪我をなくし、既存の航空機にも容易に改造を行えるようにする必要性がある。
【発明の概要】
【０００６】
一実施例では、平面を有する基板、基板の平面上に印刷された複数の導電性配線、並びに、複数の導電性配線が、複数の導電性配線の中の選択された導電性配線と複数の光源の中の関連する光源との間に電気的な相互接続を形成するように、装着位置で基板の平面上の複数の導電性配線上に装着された複数の光源を備える照明パネルが説明されている。照明パネルは、複数の光源の上に提供されるポリマーシート、並びに、印刷された複数の導電性配線を有する基板、平面上に装着された複数の光源、及びポリマーシートのスタックアップが適用される複合材ベースを含む。複数の光源は複合材ベースの中に埋め込まれ、スタックアップの上面と同一平面上に収まり、基板はまた、装着位置で複数の光源の下の複合材ベースに埋め込まれている。
【０００７】
別の実施例では、照明パネルの製造方法が説明される。方法は、基板の平面上に複数の導電性配線を印刷すること、複数の導電性配線が、複数の導電性配線の中の選択された導電性配線と複数の光源の中の関連する光源との間に電気的な相互接続を形成するように、装着位置で基板の平面上の複数の導電性配線上に複数の光源を装着すること、複数の光源の上にポリマーシートを提供すること、及び、印刷された複数の導電性配線を有する基板、平面上に装着された複数の光源、及びポリマーシートのスタックアップを複合材ベース上に提供することを含む。方法はまた、スタックアップの上面と同一平面上に収まり、装着位置で複数の光源の下の複合材ベースに基板を埋め込むように、複合材ベースの中へ複数の光源を埋め込むため、スタックアップと複合材ベースに圧力と熱を加えることを含む。
【０００８】
前述の特徴、機能及び利点は、様々な実施形態において個別に実現可能であるか、又は、以下の説明及び図面を参照して更なる詳細が理解されうる、更に別の実施形態において組み合わされうる。
【０００９】
条項１．  本開示の一態様によれば、平面を有する基板と、基板の平面上に印刷された複数の導電性配線と、複数の導電性配線が、複数の導電性配線の中の選択された導電性配線と複数の光源の中の関連する光源との間に電気的な相互接続を形成するように、装着位置で基板の平面上の複数の導電性配線上に装着された複数の光源と、複数の光源上に提供されるポリマーシートと、印刷された複数の導電性配線を有する基板、平面上に装着された複数の光源、及びポリマーシートのスタックアップが適用される複合材ベースとを備える照明パネルが提供される。複数の光源は複合材ベースに埋め込まれ、スタックアップの上面と同一平面上に収まり、基板はまた、装着位置で複数の光源の下の複合材ベースに埋め込まれている。
【００１０】
条項２．  有利には、照明パネルは、基板がポリマーフィルムを含む照明パネルである。
【００１１】
条項３．  有利には、照明パネルは、複数の導電性配線が回路群を含む照明パネルで、複数の光源は回路群を形成するように、複数の導電性配線上に装着される。
【００１２】
条項４．  有利には、照明パネルは、複数の光源が発光ダイオード（ＬＥＤ）、有機発光ダイオード（ＯＬＥＤ）、又は各々の組み合わせを含む照明パネルである。
【００１３】
条項５．  有利には、照明パネルは、ポリマーシートが透明なポリマーシートである照明パネルである。
【００１４】
条項６．  有利には、照明パネルは、ポリマーシートが複数の光源を覆う照明パネルである。
【００１５】
条項７．  好ましくは、照明パネルは、複数の光源がポリマーシートに接触し、ポリマーシートを通して光を照らす照明パネルである。
【００１６】
条項８．  有利には、照明パネルは、ポリマーシートに上に適用される装飾フィルムを更に含む。
【００１７】
条項９．  有利には、照明パネルは、照明パネルが航空機構造用天井パネルを含む照明パネルである。
【００１８】
条項１０．  有利には、照明パネルは、複合材ベースがハニカムコアパネルを含む照明パネルである。
【００１９】
条項１１．  本開示の一態様によれば、照明パネルの製造方法は、基板の平面上に複数の導電性配線を印刷することと、複数の導電性配線が、複数の導電性配線の中の選択された導電性配線と複数の光源の中の関連する光源との間に電気的な相互接続を形成するように、装着位置で基板の平面上の複数の導電性配線上に複数の光源を装着することと、複数の光源の上にポリマーシートを提供することと、印刷された複数の導電性配線、平面上に装着された複数の光源、及びポリマーシートのスタックアップを複合材ベース上に提供することと、スタックアップの上面と同一平面上に収まり、装着位置で複数の光源の下の複合材ベースに基板を埋め込むように、複合材ベースの中へ複数の光源を埋め込むため、スタックアップと複合材ベースに圧力と熱を加えることとを含む。
【００２０】
条項１２．  有利には、照明パネルの製造方法は、装着位置で基板の平面上の複数の導電性配線上に複数の光源を装着することが、複数の光源を装着するための導電性エポキシを使用することを含む、照明パネルの製造方法である。
【００２１】
条項１３．  有利には、照明パネルの製造方法は、基板がポリフッ化ビニル（ＰＶＦ）材料を含む、照明パネルの製造方法である。
【００２２】
条項１４．  有利には、照明パネルの製造方法は、複数の導電性配線が回路群を含む、照明パネルの製造方法で、複数の光源は回路群を形成するように、複数の導電性配線の上に装着される。
【００２３】
条項１５．  有利には、照明パネルの製造方法は、複数の光源が発光ダイオード（ＬＥＤ）、有機発光ダイオード（ＯＬＥＤ）、又は各々の組み合わせを含む、照明パネルの製造方法である。
【００２４】
条項１６．  有利には、照明パネルの製造方法は、ポリマーシートが透明なポリマーシートである、照明パネルの製造方法である。
【００２５】
条項１７．  有利には、照明パネルの製造方法は、複数の光源の上にポリマーシートを提供することが、複数の光源を覆うことを含む、照明パネルの製造方法である。
【００２６】
条項１８．  有利には、照明パネルの製造方法は、複数の光源がポリマーシートに接触し、ポリマーシートを通して光を照らす、照明パネルの製造方法である。
【００２７】
条項１９．  有利には、照明パネルの製造方法は、ポリマーシートの上に装飾フィルムを適用することを更に含む、照明パネルの製造方法である。
【００２８】
条項２０．  有利には、照明パネルの製造方法は、複合材ベースがハニカムコアパネルを含む、照明パネルの製造方法である。
【００２９】
例示的実施形態の特性と考えられる新規の特徴は、添付の特許請求の範囲に明記される。しかしながら、例示の実施形態、好ましい使用モード、更なる目的、及びそれらの説明は、添付図面を参照しつつ、本開示の例示の実施形態の後述の詳細な説明を読むことにより、最もよく理解されるであろう。
【図面の簡単な説明】
【００３０】
【図１】例示的な実施形態に従って、照明パネルを製造するための例示的な工程の一部を図解するもので、基板は平面を有することが示されている。
【図２】例示的な実施形態に従って、照明パネルを製造するための例示的な工程の別の部分を図解するもので、装着位置で基板の平面上の複数の導電性配線上に複数の光源が装着されている。
【図３】例示的な実施形態に従って、照明パネルを製造するための例示的な工程の別の部分を図解するもので、光源の上にポリマーシートが提供されている。
【図４】例示的な実施形態に従って、照明パネルを製造するための例示的な工程の別の部分を図解するもので、印刷された複数の導電性配線を有する基板、平面上に装着された光源、及びポリマーシートのスタックアップが適用される複合材ベースが提供されている。
【図５】例示的な実施形態に従って、照明パネルを製造するための例示的な工程の別の部分を図解するもので、光源は複合材ベースの中に埋め込まれ、スタックアップの上面と同一平面上に収まり、基板はまた、装着位置で光源の下の複合材ベースに埋め込まれている。
【図６】例示的な実施形態に従って、照明パネルを製造するための例示的な工程の別の部分を図解するもので、光源を覆うため、ポリマーシートの上に装飾フィルムも適用可能である。
【図７】例示的な実施形態に従って、導電性配線を有する基板の上面を図解している。
【図８】例示的な実施形態に従って、光源を含む回路を有する基板を図解している。
【図９】例示の実施形態に従って、照明パネルを製造するための例示的な方法のフロー図を示す。
【発明を実施するための形態】
【００３１】
これより、添付図面を参照して開示の実施形態について更に詳細に説明するが、添付図面には、開示されるすべての実施形態が示されているわけではない。実際には、幾つかの異なる実施形態が説明される場合があり、これらの実施形態は、本明細書で明示されている実施形態に限定されると解釈するべきではない。むしろ、これらの実施形態は、この開示内容が包括的で完全であるように、且つ本開示の範囲が当業者に十分に伝わるように説明されている。
【００３２】
実施例の中では、照明パネル及び照明パネルの製造方法が説明される。照明パネルは、平面を有する基板、基板の平面上に印刷された複数の導電性配線、並びに、複数の導電性配線が、複数の導電性配線の中の選択された導電性配線と複数の光源の中の関連する光源との間に電気的な相互接続を形成するように、装着位置で基板の平面上の複数の導電性配線上に装着された複数の光源を備える。ポリマーシートは複数の光源の上に提供されうる。印刷された複数の導電性配線を有する基板、平面上に装着された複数の光源、及びポリマーシートのスタックアップが適用される複合材ベースが提供される。複数の光源は複合材ベースの中に埋め込まれ、スタックアップの上面と同一平面上に収まり、基板はまた、装着位置で複数の光源の下の複合材ベースに埋め込まれている。
【００３３】
説明されている例示的な照明パネルは、光源をクラッシュコアパネルに一体化し、航空機の内装パネルに使用されうる照明効果を作り出す。本明細書で説明されている例示的な製造方法は、印刷された配線を有するプラスチックフィルム、及び複合材によるクラッシュコアプロセスの方法によってパネルに一体化される接着された光源を使用しうる。装飾層は光源の上に適用されうる。この工程は、星空と同様な照明機能を任意のクラッシュコア航空機パネル（例えば、天井、収納棚、ヴァレンス、側壁など）に一体化するために使用できる。
【００３４】
したがって、幾つかの実施例では、本開示は「星空」航空機天井パネル照明システム及びその製造方法に関する。照明パネルは、マイクロミニチュア発光ダイオード（ＬＥＤ）、又は代替として、有機発光ダイオード（ＯＬＥＤ）などの複数の小さな光源を備え、航空機構造用天井パネル、及び／又はアップリケの形態でこのような構造用天井パネルに接着される柔軟な基板の積層の上に、印刷又は形成される導電性配線に接続された制御回路と一緒になる。その結果得られる星空照明パネル構造物は、既存の星空照明パネルシステムよりも、軽量、小型、安価で、既存の航空機にも容易に据え付けることができる。
【００３５】
図１から図６を参照すると、例示的な実施形態に従って、照明パネルを製造する例示的な工程が示されている。図１では、基板２００は平面２０２を有するように示されている。平面２０２は、比較的滑らかな表面、或いは実質的に平坦な表面を提供する。
【００３６】
本明細書で使用されているように、「実質的に」という語は、言及される特徴、パラメータ、又は値が正確に実現される必要はないが、例えば、許容範囲、測定誤差、測定精度限界、及び当業者にとって既知の要因などを含む偏差又は変動が、特徴によってもたらされる影響を排除できない大きさで起こりうることを意味する。同様に、「およそ」という語は、言及される特徴、パラメータ、或いは、例えば、許容範囲、測定誤差、測定精度限界、及び当業者にとって既知の他の因子を含む偏差又は変動を許容する値、並びにこのような変動をもたらすのに充分な量にまで及ぶパラメータの範囲の態様を含む。
【００３７】
基板２００は、ポリマーフィルム、又は、Ｔｅｄｌａｒフィルム（Ｄｕ  Ｐｏｎｔ  Ｔｅｄｌａｒポリフッ化ビニル（ＰＶＦ））などのポリフッ化ビニル（ＰＶＦ）材料を含みうる。他の可撓性のある誘電体基板材料は、例えば、カプトン（Ｋａｐｔｏｎ）、マイラー（Ｍｙｌａｒ）又はポリ塩化ビニル（ＰＶＣ）材料などの基板にも使用されうる。
【００３８】
複数の導電性配線２０４は、基板２００の平面２０２上に印刷される。導電性配線２０４を図７に示す。導電性配線２０４は、電気部品の各リード（すなわち、ＬＥＤのアノードとカソード）と電気的に接続するように、基板２００の平面２０２上に描くことができる。
【００３９】
幾つかの導電性配線描画方法の一又は複数は、基板２００の導電性配線２０４を印刷するために使用されうる。一実施例では、共形表面（ｃｏｎｆｏｒｍａｌ  ｓｕｒｆａｃｅｓ）に広範囲に及び導電性又は非導電性材料を堆積するために、プラズマスプレーが使用されうる。別の実施例では、平坦な基板上に又は共形表面上に、極めて微細な（例えば、４〜５ミクロン）形状の広範囲に及ぶ材料を堆積するために、エアロゾルスプレーを使用することもできる。更に別の実施例では、共形表面に接着しうる平坦な基板に印刷するために、インクジェット印刷技術も使用可能である。最後に、別の実施例として、共形表面に接着されるポリマーフィルムに印刷するため、導電性インクのスクリーン印刷も利用されうる。このような技術の任意の組み合わせが使用されうる。印刷された電子機器により、製造費用を低減する可撓性基板の使用が可能になり、また、機械的に柔軟な回路の製造が可能になる。
【００４０】
図２に示すように、複数の導電性配線２０４が、複数の導電性配線の中の選択された導電性配線と複数の光源の中の関連する光源との間に電気的な相互接続を形成するように、装着位置２１０及び２１２で基板２００の平面２０２上の複数の導電性配線２０４上に複数の光源２０６及び２０８が装着される。導電性配線２０４は回路群を含み、光源２０６及び２０８は回路群を形成するように導電性配線２０４の上に装着されうる。一実施例として、図８は光源２１４、２１６、及び２１８を含む回路を有する基板を図解している。様々な光源の相互接続に基づいて、多重回路も含まれうる。
【００４１】
導電性配線は、光源２０６及び２０８がそれぞれ他方とは独立に制御可能になり、点滅すること、すなわち「きらめく」ことができるように、光源２０６及び２０８を電源及び制御回路と相互接続する。別の態様では、パネル内の関連する光源の群は、互いに独立に制御可能である。
【００４２】
光源２０６及び２０８は、発光ダイオード（ＬＥＤ）、有機発光ダイオード（ＯＬＥＤ）、他の表面実装部品（ＳＭＤ）、或いは各々の組み合わせを含みうる。光源２０６及び２０８は導電性接着剤を使用して装着されてもよく、その結果得られる基板−光源アセンブリは、ＵＶ硬化接着剤が使用される場合には、ＵＶ照射によって硬化されうる。或いは代替的に、例えば、オートクレーブ工程で熱によって硬化されうる。
【００４３】
図３に示すように、ポリマーシート２２０は光源２０６及び２０８の上に提供される。ポリマーシート２２０は透明なポリマーシートであってもよく、最終工程（以下で説明）で装着するため光源２０６及び２０８の上に配置される。
【００４４】
図４に示すように、印刷された複数の導電性配線２０４を有する基板２００、平面２０２上に装着された光源２０６及び２０８、及びポリマーシート２２０のスタックアップ２２４が適用される複合材ベース２２２が提供される。複合材ベース２２２は、例えば、ポリカーボネート又はポリウレタンプラスチックからなる既存の航空機構造用天井パネルを含みうる。別の実施例として、複合材ベース２２２はハニカムコアパネルを含みうる。複合材ベース２２２は、任意の複合材材料、例えば、未硬化予含浸強化テープ又は繊維（すなわち、「プリプレグ」）などのような軽量材料を含みうる。テープ又は繊維は、例えば、エポキシ系又はフェノール系のポリマーなどのマトリクス材料内に埋め込まれるグラファイト繊維などの複数の繊維を含むことができる。テープ又は繊維は、所望の強化の程度に応じて、一方向性のもの又は織り込まれたものになりうる。
【００４５】
図５に示すように、クラッシュコア工程を使用して、光源２０６及び２０８は複合材ベース２２２の中に埋め込まれ、スタックアップ２２４の上面と同一平面上に収まり、基板２００はまた、装着位置２１０及び２１２で光源２０６及び２０８の下の複合材２２２に埋め込まれる。例えば、基板２００の部分２２６及び２２８は、装着位置２１０及び２１２で光源２０６及び２０８の下の複合材２２２に埋め込まれる。
【００４６】
クラッシュコア工程は、複合材ベース２２２をスタックアップ２２４と共に大きな圧力で押すことを含み、スタックアップ２２４は所定の厚みになるまで、複合材ベース２２２の中へ押しつぶされる。最大３００ｐｓｉ（２０．７ｂａｒ）の例示的な圧力は、複合材ベース２２２のハニカムコアセル壁を折り重ねて平坦にし、スタックアップ２２４用により大きな接着面積を作り出す。この方法は厚みが一定のパネルを作り出し、実装中の良好な適合と仕上がりを保証する。したがって、クラッシュコア工程を使用することで、スタックアップ２２４は複合材ベース２２２に接着され、圧力と熱を利用して接着を硬化することができる。
【００４７】
図５に示すように、ポリマーシート２２０は光源２０６及び２０８を覆う。光源２０６及び２０８は、ポリマーシート２２０に接触し、ポリマーシート２２０を通して光２３０を照らすように操作される。ポリマーシート２２０には、光源２０６及び２０８を露出する孔は設けられていない。加えて、複合材ベース２２２には、光源２０６及び２０８の挿入に必要となるポケット又は植え込み穴は不要である。むしろ、クラッシュコア工程は、光源２０６及び２０８を、光源２０６及び２０８の下に埋め込まれる基板２００の対応する部分２２６及び２２８と共に、複合材ベース２２２の中へ埋め込み、電気的な接続を設ける。孔を事前に穿孔すること、又はポケットを事前に形成することは不要で、付加的な製造手順は取り除くことができる。光源２０６及び２０８のポケット又は植え込み穴を必要とせずに、光源２０６及び２０８を複合材ベース２２２に一体化できることにより、パネルをより効率的に製造することが可能になる。
【００４８】
図６に示すように、光源２０６及び２０８を覆うため、ポリマーシート２２０の上に装飾フィルムを適用することができる。この実施例では、装飾フィルム２３２は、Ｄｕ  Ｐｏｎｔ  Ｔｅｄｌａｒポリフッ化ビニル（ＰＶＦ）などの薄い可撓性フィルムからなる、透明な又は装飾的な積層材（ＤＥＣＬＡＭ）であってもよい。装飾フィルム２３２はまた、光源２０６及び２０８がそれぞれ露出される小さな開口部、すなわちビアを必要としない。装飾フィルム２３２は、接着剤を使用してポリマーシート２２０に接着することができる。図６は完成した照明パネル２３４を図解している。他の実施例では、装飾フィルム２３２は、装飾のために塗装された層で置き換えてもよい。
【００４９】
図９は、例示的な実施形態による、照明パネルの例示的な製造方法３００を示す。図９に示した方法３００は、例えば、図１〜６に示した工程内で使用されうる方法の実施形態を示す。方法３００は、ブロック３０２〜３１０のうちの一又は複数で図解されているように、一又は複数の操作、機能、又は動作を含んでもよい。ブロックは順番に示されているが、これらのブロックは、更に、平行して実行してもよく、及び／又は、本明細書に記載されている順序とは異なる順序で実行してもよい。更に、様々なブロックを、組み合わせてブロックの数を減らしたり、分割してブロックを追加したり、所望の実装形態に基づいて取り除いたりしてもよい。
【００５０】
本明細書に開示されているこのプロセスと方法及びその他のプロセスと方法については、フロー図が本実施形態の１つの可能な実装形態の機能性及び動作を示すことを理解するべきである。代替的な実装形態は、本開示の例示の実施形態の範囲内に含まれる。本開示の例示の実施形態では、当業者によって理解されるように、関連する機能性に応じて、図示又は記載されている順序とは異なる順序（ほぼ並列順序又は逆順序を含む）で機能が実行されてもよい。
【００５１】
ブロック３０２では、方法３００は、基板２００の平面２０２上に複数の導電性配線２０４を印刷することを含む。一実施例として、導電性配線２０４は、Ｔｅｄｌａｒ基板又は他のポリフッ化ビニル（ＰＶＦ）材料の上に銀インクとしてスクリーン印刷されうる。導電性配線２０４は、電気部品が基板２００全体にわたってランダムに配置されうるように、電気部品（又は電気部品の端子）を接続するように印刷されてもよい。
【００５２】
ブロック３０４では、方法３００は、複数の導電性配線２０４が、複数の導電性配線の中の選択された導電性配線と複数の光源の中の関連する光源との間に電気的な相互接続を形成するように、装着位置２１０及び２１２で基板２００の平面２０２上の複数の導電性配線２０４上に複数の光源２０６及び２０８を装着することを含む。光源２０６及び２０８は、導電性エポキシを使用して装着されうる。導電性配線２０４は、回路群となるように印刷されてもよく、光源２０６及び２０８は回路群を形成するように導電性配線２０４上に装着される。例えば、導電性配線２０４は、独立で平行に配線されない４つの回路群になるように印刷されうる。
【００５３】
ブロック３０６では、方法３００は、複数の光源２０６及び２０８の上にポリマーシート２２０を提供することを含む。ポリマーシート２２０は、導電性配線２０４並びに光源２０６及び２０８を、照明パネルの最終製品に適用される清掃／研磨及び塗装工程から保護する。光源２０６及び２０８がポリマーシート２２０に接触し、ポリマーシート２２０を通して光を照らすように、ポリマーシート２２０は透明なポリマーシートで、光源２０６及び２０８を覆ってもよい。
【００５４】
ブロック３０８では、方法３００は、印刷された複数の導電性配線２０４、平面２０２上に装着された複数の光源２０６及び２０８、及び前記ポリマーシート２２０のスタックアップ２２４を複合材ベース２２２上に提供することを含む。複合材ベース２２２はハニカムコアパネルを含みうる。
【００５５】
ブロック３１０では、方法３００は、スタックアップ２２４の上面と同一平面上に収まり、装着位置２１０及び２１２で複数の光源２０６及び２０８の下の複合材ベース２２２に基板２００を埋め込むように、複合材ベース２２２の中へ複数の光源２０６及び２０８を埋め込むため、スタックアップ２２４と複合材ベース２２２に圧力と熱を加えることを含む。圧力と熱は、クラッシュコア工程を使用して適用されうる。プレスから材料が取り除かれると、光源２０６及び２０８は上面と同一平面上に収まり、複合材ベース２２２に埋め込まれる。
【００５６】
光源２０６及び２０８のためのポケット又は事前に穿孔して形成した孔を必要とせず、また、光源２０６及び２０８を植え込む必要なく、光源２０６及び２０８を複合材ベース２２２と一体化する能力により、重量、大きさ、及び従来システムの費用を低減する方法で、基板２００と光源２０６及び２０８を複合材ベース２２２に一体化することができる。さらに、ポケットを作成しないため、植え込み材料で付加的にカプセル化することも回避される。光源２０６及び２０８は、複合材ベース２２２に直接圧入することが可能で、これにより、ポケット及び植え込み材料を使用せずに一体化することが可能で、より良い表面仕上がりをもたらすことが示された。
【００５７】
加えて、光源２０６及び２０８は充分に明るいため、孔を上部層で切断することや被覆は必要としないため、設計は更に単純化される。したがって、光源２０６及び２０８はポリマーシート２２０に直接接触するため、ポリマーシート２２０を通して光を投影するための孔やレンズ或いはその他の構造体を必要としない。
【００５８】
装飾フィルム２３２、又は塗料がポリマーシート２２０の上面に適用されてもよく、これにより、電子機器を保護することによって塗装が可能になる。照明パネルの電源及び操作のためにコネクタが実装されうる。
【００５９】
また、当業者であればわかるように、同一な又は実質的に同様な照明パネル２３４構成に到達する数多くの、他の製造並びに組み立てオプションが存在する。
【００６０】
照明パネル２３４は、照明パネル２３４の光源２０６及び２０８に電力及び制御信号を供給するための、電力及び制御モジュール挿入物２３６を含みうる。これにより、印刷された導電性配線２０４を配線に接続することができる。また更に、他の分離された電気部品、例えば、光源２０６及び２０８に電力を供給し、これらを制御するためのマイクロプロセッサ、並びにＲＦ制御部品又は送受信部品は、電力・制御モジュール挿入部２３６に埋め込むことができる。電力・制御モジュール挿入部２３６は更に、導電性配線２０４を介して、電力・制御モジュール挿入部２３６と光源２０６及び２０８との間の容易な電気的相互接続を可能にする、端子入出力接続パッドを組み込む。
【００６１】
当業者であればわかるように、多くの航空機システムは、照明器具又は照明パネル２３４に電力及び制御信号を提供することができる。電力・制御モジュール挿入部２３６の内部など、照明パネル２３４内部に配置される電子機器は、放出される光の色及び明るさを制御することができる。照明パネル２３４内部の光源２０６及び２０８の各々の明るさを制御するため、パルス幅変調を使用することができる。更に、航空機の天井は多数の照明パネルを含むことがあり、各照明パネルは独立に制御されうる。
【００６２】
照明パネル２３４に対する制御（一般的には、星野全体の明るさ及び瞬きの速さ）は、例えば、無線リンクを介して電力・制御モジュール挿入部２３６で受信される、航空機から照明パネル２３４までの制御コマンド又は設定値を送信することによって、有効になりうる。一実施例では、電力・制御モジュール挿入部２３６は、このようなコマンド又は設定を受信する無線受信機を含む。無線用のアンテナは、基板２００の上に直接、又は積層された基板の上に、他の導電体及び電気部品と共に印刷されうる。
【００６３】
別の実施例では、照明パネル２３４の制御は、電力線通信（ＣＯＰＬ）技術による、航空機からパネルまでの制御コマンド又は設定値の送信によって、有効になりうる。航空機の電子機器は、照明パネル２３４への電力信号に制御／設定信号を重ね合わせる。電力・制御モジュール挿入部２３６内に配置されたＣＯＰＬ送受信機は、これらの信号を解釈し、それに応じて光源２０６及び２０８を制御する。
【００６４】
照明パネル２３４は、従来のパネルに対して幾つかの利点をもたらす。照明パネル２３４の部品は安価である（資本設備への投資は除く）。現在の製造工程は、本明細書で開示している実施例では実質的に除外されている細部、反復動作など、人間工学的に高コストな要因を含んでいる。
【００６５】
加えて、直接描画された電子機器と導電性配線２０４を照明パネル２３４に一体化することは、パネルの軽量化、プロセスフロー時間の短縮、より効率的な形状因子、人間工学的な製造の改善を含む、幾つかの付加的な利点を有する。これまで、航空機を購入する一部の顧客は、重量ペナルティの観点から、星空照明オプションを選択していなかった。照明パネル２３４は、このようなパネルを多数装備する航空機において、パネル１点あたりの重量を軽量化できるため、結果的に、従来のパネルに対して相当な軽量化が可能である。
【００６６】
更に、上述のように、幾つかの実施例では、照明パネル２３４は、有線による電力供給に加えて、通信と制御のための無線インターフェースを有することができる。したがって、照明パネル２３４は、電力用の低電圧電気インターフェースを必要とするが、電力は天井ウォッシュライトなどの既存の電源から変圧可能で、星空効果の動作中には一般的に低出力に下げられる。ローカル電源の電力を変圧して無線制御に供給すれば、追加の航空機配線敷設の必要性が低減され、既存の航空機の改造が単純化される。
【００６７】
本明細書で開示されている照明パネルの様々な実施例は、航空機内装の天井照明システムとの関連で説明され、図解されているが、これらは、この特定の用途に限定されることなく、他の様々な用途においても、例えば、入口エリア（ｅｎｔｒｙ  ａｒｅａ）の天井、行き先表示スペース（ｄｅｓｔｉｎａｔｉｏｎ  ｓｐａｃｅｓ）などの航空機の他の表面部分でも、或いは航空宇宙用途以外であっても、ダンスホールや劇場の居室部分の天井、広告などでも使用されうることは明白であろう。
【００６８】
種々の有利な構成の説明は、例示及び説明を目的として提示されており、完全であること、又は開示された形態の実施形態に限定されることを意図するものではない。当業者には、多くの修正例及び変形例が明らかになるであろう。更に、種々の有利な実施形態は、他の有利な実施形態と比べて異なる利点を説明し得る。選択された一又は複数の実施形態は、実施形態の原理、実際の用途を最もよく説明するために、及び他の当業者に対して、様々な実施形態の開示内容と考慮される特定の用途に適した様々な修正の理解を促すために選択及び記述されている。
【図１】
0006765938.tif 000002
【図２】
0006765938.tif 000003
【図３】
0006765938.tif 000004
【図４】
0006765938.tif 000005
【図５】
0006765938.tif 000006
【図６】
0006765938.tif 000007
【図７】
0006765938.tif 000008
【図８】
0006765938.tif 000009
【図９】
0006765938.tif 000010